(57)【特許請求の範囲】
【請求項１】
送信装置が自己に送る、前記送信装置と自己との間の通信状況を検査するために用いられる情報である検査情報、の受信状況により、前記送信装置と自己との間の通信状況を判定する受信装置であって、
前記送信装置が、前記送信装置が備える送信用バッファの残存記録容量に応じて、自己に対して送る、送信元情報を含み通常の検査情報とは異なることが識別できる検査情報である特殊検査情報、の受信にともない、当該特殊検査情報の受信に続いて自己への入力が行われる検査情報以外の受信情報の送信元情報が、前記特殊検査情報に含まれる送信元情報と連続して一致する間は、その受信情報の連続した受信を行う、受信装置。
【請求項２】
前記受信情報の前記送信元情報が、前記特殊検査情報に含まれる前記送信元情報に一致しない場合は、前記連続した受信を終了する、請求項１に記載された受信装置。
【請求項３】
前記特殊検査情報に含まれる送信元情報が、送信用バッファに記録されている情報の送信元を表す情報である、請求項１又は請求項２に記載された受信装置。
【請求項４】
前記特殊検査情報に含まれる送信元情報が、送信装置を表す情報である、請求項１又は請求項２に記載された受信装置。
【請求項５】
前記受信情報の前記送信元情報が、前記送信装置に対して前記受信情報を前記送信装置に送信したものを表す情報である、請求項１乃至請求項４のうちのいずれか一に記載された受信装置。
【請求項６】
前記受信情報の前記送信元情報が、前記送信装置を表す情報である、請求項１乃至請求項５のうちのいずれか一に記載された受信装置。
【請求項７】
前記検査情報、前記特殊検査情報及び前記受信情報がフレームで表される情報である、請求項１乃至請求項６のうちのいずれか一に記載された受信装置。
【請求項８】
前記検査情報及び前記特殊検査情報のフォーマットとして、ＩＴＵ−Ｔ勧告Ｙ．１７３１、９．２．２  ＣＣＭ  ＰＤＵ  ｆｏｒｍａｔに表されたフォーマットを用いる、請求項７に記載された受信装置。
【請求項９】
自己が送る、自己との間の通信状況を検査するために用いられる情報である検査情報、の受信状況により、自己との間の通信状況を判定し、
自己が送る、送信元情報を含み通常の検査情報とは異なることが識別できる検査情報である特殊検査情報、の受信にともない、当該特殊検査情報の受信に続いて入力が行われる検査情報以外の受信情報の送信元情報が、前記特殊検査情報に含まれる送信元情報と連続して一致する間は、その受信情報の受信を連続して行う、受信装置、
に対して、自己が備える送信用バッファの残存記録容量に応じて、前記特殊検査情報を送り、その後に前記送信用バッファに記録されている送信情報を送り、かつ、当該送信情報の送信の間は前記検査情報を送らない、送信装置。
【請求項１０】
請求項１乃至請求項８のうちのいずれか一に記載された受信装置と、請求項９に記載された送信装置と、を備える送受信システム。
【発明の詳細な説明】
【技術分野】
【０００１】
本発明は、送信装置と受信装置との間の通信状況を判定する、送信装置、受信装置、及び、送受信システムに関する。
【背景技術】
【０００２】
通信ネットワークの管理や保守を行う機能はＯＡＭ（ｏｐｅｒａｔｉｏｎｓ、ａｄｍｉｎｉｓｔｒａｔｉｏｎ、ｍａｉｎｔｅｎａｎｃｅ）と呼ばれる。
【０００３】
通信システムがイーサネット（登録商標）機器を備える場合を例に説明すると、イーサネット（登録商標）ＯＡＭ（以下、「ＥＯＡＭ」という。）は、イーサネット（登録商標）網の管理や保守を行う機能である。
【０００４】
近年、ＥＯＡＭの標準化が進められ、非特許文献１にその標準化された内容が開示され、さらに、ＩＥＥＥ８０２．１ａｇにおいて標準化されている。ここで、ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、  Ｉｎｃｏｒｐｏｒａｔｅｄの略称である。以下は、非特許文献１に開示された内容を中心に説明する。
【０００５】
ＥＯＡＭにおける障害検知機能の一つとして、接続性チェック（ＣＣ（Ｃｏｎｔｉｎｕｉｔｙ  Ｃｈｅｃｋ））がある。ＣＣは、保守管理対象となるスイッチ群の端から端まで検査用フレームであるＣＣＭ（Ｃｏｎｔｉｎｕｉｔｙ  Ｃｈｅｃｋ  Ｍｅｓｓａｇｅ）を定期的に送ることで、接続を確認する機能である。
【０００６】
ＥＯＡＭにおいては、ＣＣＭなどの保守フレームは最優先で送信される。さらに、ＣＣＭはユーザフレームの送信中においてもイーサネット機器間の接続性を確認するために定期的に送信される。
【０００７】
トラフィックの負荷が飽和状態の回線に対して、優先度の高いＣＣＭを割り込ませて送信される場合には、ユーザフレームを廃棄してＣＣＭを送信しなければならないことがある。この場合、重要なユーザフレームが廃棄される危険性がある。廃棄されるユーザフレームがリアルタイム性を要求するデータである場合等には、提供するサービスの質を低下させることになる可能性がある。
【０００８】
この問題を解決するために、特許文献１に開示された方法では、短期間にＣＣＭなどの保守フレーム送信イベント発生が複数回行われたときに次の処理を行う。すなわち、ユーザフレーム１の後に必要なＩＦＧ、保守フレーム１、必要なＩＦＧ、保守フレーム２、必要なＩＦＧの順に送信し、その後バッファメモリによって遅延したユーザフレーム２を送信することでイーサネット機器間通信中に保守フレームを挿入する。ここで、ＩＦＧは、保守フレーム後のガードタイムであるフレーム間ギャップであるインターフレームギャップをいう。
【先行技術文献】
【特許文献】
【０００９】
【特許文献１】特開２００６−１６５８７５号公報
【非特許文献】
【００１０】
【非特許文献１】ＩＴＵ−Ｔ勧告Ｙ．１７３１、［平成２７年７月３０日検索］、インターネット（ｈｔｔｐｓ：／／ｗｗｗ．ｉｔｕ．ｉｎｔ／ｒｅｃ／Ｔ−ＲＥＣ−Ｙ．１７３１／ｅｎ）
【発明の概要】
【発明が解決しようとする課題】
【００１１】
しかしながら、特許文献１に開示された方法には、ユーザフレームを遅延させるために大容量の遅延バッファメモリが必要になり、コストが上昇する欠点がある。また、同方法には、遅延させるユーザフレームの情報量がバッファメモリの容量を超えると、遅延させるユーザフレームが破棄される問題がある。
【００１２】
本発明は、接続性検査による送信用情報の喪失を抑え、さらに、当該喪失を抑えるための対策による当該送受信システム等のコストの上昇を抑えることができる、送受信装置等の提供を目的とする。
【課題を解決するための手段】
【００１３】
本発明の受信装置は、送信装置が自己に送る、前記送信装置と自己との間の通信状況を検査するために用いられる情報である検査情報、の受信状況により、前記送信装置と自己との間の通信状況を判定する受信装置である。
【００１４】
本発明の受信装置は、また、特殊検査情報の受信に続いて自己への入力が行われる検査情報以外の受信情報の送信元情報が、前記特殊検査情報に含まれる送信元情報と連続して一致する間は、その受信情報の連続した受信を行う。ここで、特殊検査情報は、送信元情報を含み通常の検査情報とは異なることが識別できる検査情報である。
【００１５】
前記連続した受信は、前記送信装置が、前記送信装置が備える送信用バッファの残存記録容量に応じて、自己に対して送る前記特殊検査情報の受信にともない行われる。
【発明の効果】
【００１６】
本発明の送受信システム等は、接続性検査による送信用情報の喪失を抑え、当該喪失を抑えるための対策による当該送受信システム等のコストの上昇をも抑えることができる。
【図面の簡単な説明】
【００１７】
【図１】接続性検査を行う機能を有する一般的な通信システムの構成を示す概念図である。
【図２】第一実施形態の送信装置１００の構成を表す概念図である。
【図３】特殊ＣＣＭ（Ｃｏｎｔｉｎｕｉｔｙ  Ｃｈｅｃｋ  Ｍｅｓｓａｇｅ）として用いることができるＣＣＭフォーマットの例を表わす概念図である。
【図４】送信装置１００における処理フローの例を表す概念図である。
【図５】第一実施形態の受信装置２００の構成を表す概念図である。
【図６】受信装置２００における処理フローの例を表す概念図である。
【図７】第一実施形態の受信装置２００のバリエーションである、受信装置４００の構成を表す概念図である。
【図８】第二実施形態の送信装置３００の構成を表す概念図である。
【図９】ＥＯＡＭで用いられるフレームのフォーマット例を表わす概念図である。
【図１０】送信装置３００における処理フローの例を表す概念図である。
【図１１】本発明の最小構成の受信装置５００を表わす概念図である。
【発明を実施するための形態】
【００１８】
［用語の説明］
［発明を実施するための形態］において用いる主要な用語を以下に説明する。
【００１９】
接続性検査は、保守管理対象の端から端まで、検査用情報を送ることで、接続の状態を確認する、接続性チェックをいう。以下においては、接続性チェックをＣＣと表記する。ＣＣは、Ｃｏｎｔｉｎｕｉｔｙ  Ｃｈｅｃｋの略である。
【００２０】
検査用情報は、接続性の検査に用いられる情報をいう。以下、検査用情報をＣＣＭということにする。ＣＣＭは、Ｃｏｎｔｉｎｕｉｔｙ  Ｃｈｅｃｋ  Ｍｅｓｓａｇｅの略である。
【００２１】
通常ＣＣＭは、特殊ＣＣＭである旨を表す情報を備えないＣＣＭをいう。
【００２２】
特殊ＣＣＭは、特殊ＣＣＭである旨を表す情報を備えたＣＣＭをいう。
【００２３】
ＭＥＰはＣＣＭの生成又は終端が可能なエンドポイントをいう。ＭＥＰは、Ｍａｉｎｔｅｎａｎｃｅ  Ｅｎｔｉｔｙ  Ｇｒｏｕｐ  Ｅｎｄ  Ｐｏｉｎｔの略である。
【００２４】
ＳＡは送信元アドレスをいう。ＳＡは、Ｓｏｕｒｃｅ  Ａｄｄｒｅｓｓの略である。
【００２５】
ＤＡは送信先アドレスをいう。ＤＡは、Ｄｅｓｔｉｎａｔｉｏｎ  Ａｄｄｒｅｓｓの略である。
【００２６】
ＬＯＣはＣＣＭの生成が可能なＭＥＰと、そのＣＣＭの終端が可能なＭＥＰとの間で、通信の接続が失われていることをいう。ＬＯＣは、Ｌｏｓｓ  ｏｆ  Ｃｏｎｔｉｎｕｉｔｙの略である。
［本発明を適用できる通信システム］
図１は、ＣＣを行う機能を有する一般的な通信システムの構成を示す概念図である。以下において説明する本発明の実施形態は、例えば、同図に表したような構成の通信システムに適用することができる。
【００２７】
事業者装置０００は、通信事業者が管理等を行う通信装置であり、事業者ハブ００４と、センター装置００５と、網側インタフェース００６と、センター側ローカルインタフェース００７と、を備える。事業者ハブ００４とセンター装置００５とはセンター側ローカルインタフェース００７により接続されている。また、事業者ハブ００４は網側インタフェース００６を介してネットワーク網０２０に接続されている。
【００２８】
センター装置００５は、事業者送受信装置００８を備える。
【００２９】
一方、ユーザ装置０１０は、ユーザが管理等を行う通信装置であり、端末装置０１１と、ユーザハブ０１２と、ユーザ端末装置０１３と、端末側ローカルインタフェース０１４と、ユーザ端末側インタフェース０１５と、を備える。端末装置０１１と、ユーザハブ０１２とは、端末側ローカルインタフェース０１４により接続されている。ユーザハブ０１２と、ユーザ端末装置０１３とは、ユーザ端末側インタフェース０１５により接続されている。
【００３０】
端末装置０１１は、ユーザ送受信装置０１８を備える。
【００３１】
センター装置００５と端末装置０１１とは通信回線０３０により接続されている。
【００３２】
センター装置００５は、ネットワーク網０２０から事業者ハブ００４を介して送られる情報を、端末装置０１１に送る。センター装置００５は、また、端末装置０１１から送られる情報を、事業者ハブ００４を介してネットワーク網０２０に送る。
【００３３】
端末装置０１１は、ユーザ端末装置０１３からユーザハブ０１２を介して送られる情報を、センター装置００５に送る。端末装置０１１は、また、センター装置００５から送られる情報を、ユーザハブ０１２を介してユーザ端末装置０１３に送る。
【００３４】
事業者ハブ００４は、ネットワーク網０２０とセンター装置００５とを結ぶハブであり、ユーザハブ０１２は、端末装置０１１とユーザ端末装置０１３とを結ぶハブである。
【００３５】
ユーザ端末装置０１３は、自己が作成した情報を、各構成を経由して、ネットワーク網０２０に送信することができる。また、ユーザ端末装置０１３は、ネットワーク網０２０から自己に対して送られる情報を、各構成を経由して、受信することができる。
【００３６】
事業者送受信装置００８は、センター装置００５において、センター装置００５に含まれるＭＥＰと端末装置０１１に含まれるＭＥＰとの間の接続状態を監視するための、ＣＣＭの生成と終端を行う装置である。
【００３７】
ユーザ送受信装置０１８は、ユーザ装置０１０において、センター装置００５に含まれるＭＥＰと端末装置０１１に含まれるＭＥＰとの間の接続状態を監視するための、ＣＣＭの生成と終端を行う装置である。
【００３８】
センター装置００５から端末装置０１１に対して情報が送られるときは、事業者送受信装置００８は、以下において「送信装置」、ユーザ送受信装置０１８は、以下において「送信装置」、という用語で、それぞれ説明される装置である。
【００３９】
また、端末装置０１１からセンター装置００５に対して情報が送られるときは、事業者送受信装置００８は、以下において「受信装置」、ユーザ送受信装置０１８は、以下において「送信装置」、という用語で、それぞれ説明される装置である。
【００４０】
また、事業者送受信装置００８とユーザ送受信装置０１８とを備える部分が、送受信システム０４０である。「送受信システム」は、送信装置と、その送信装置が送るＣＣＭを受信する受信装置と、を備えたシステムを表す用語である。
＜第一実施形態＞
本実施形態の送受信システムは、以下に説明する、送信装置と、その送信装置が送信する情報を受信する受信装置と、を備える。
［送信装置］
［構成と動作］
図２は、本実施形態の送信装置１００の構成を表す概念図である。
【００４１】
送信装置１００は、受信部１０１と、バッファ部１０２と、ＳＡ抽出部１０３と、送信部１０４と、パッファ監視部１０５と、ＣＣＭ部１０６と、タイマー１０７とを備え、同図に表したような接続状態にある。
【００４２】
受信部１０１は、送信装置１００の外部から入力されるフレームをバッファ部１０２に送る。
【００４３】
ＳＡ抽出部１０３は、バッファ部１０２と通信を行うことにより、バッファ部に記録されているフレームのＳＡを取得し、バッファ監視部１０５へ送る。
【００４４】
タイマー１０７は、ＣＣＭ部１０６がＣＣＭをバッファ監視部１０５に対して送るタイミングを表す情報（以下において「情報Ｔ」ということにする。）を、ＣＣＭ部１０６に対して送る。
【００４５】
ＣＣＭ部１０６は、通常ＣＣＭを生成し、バッファ監視部１０５に送付する。バッファ監視部１０５に送付するタイミングは、タイマー１０７がＣＣＭ部１０６に送る情報Ｔにより定められる。
【００４６】
バッファ監視部１０５は、バッファ部１０２と通信を行うことにより、バッファ部１０２の残り記録容量を取得する。バッファ監視部１０５は、また、ＳＡ抽出部１０３から送られた、バッファ内に記録されているフレームのＳＡを取得する。バッファ監視部１０５は、さらに、バッファ部１０２の残り容量が予め設定した設定値Ａ以下の場合、バッファ部１０２内にある各フレームのＳＡのすべてと、ＣＣＭ部１０６から送られた通常ＣＣＭとから、それらのＳＡを情報として含む特殊ＣＣＭを生成する。そして、バッファ監視部１０５は、生成した特殊ＣＣＭを、送信部１０４を経由して、図示しない受信装置に送る。バッファ監視部１０５は、特殊ＣＣＭを送信したときは、その時点で記録されているフレームを送信する指示を表す内容の情報（以下において「情報Ｃ」ということにする。）をバッファ部１０２に送る。また、バッファ監視部１０５は、バッファ部１０２の残り容量が予め設定した設定値Ｂ（設定値Ａより大きい値）を上回った時には、通常のＣＣの状態に戻る旨の指示を表す内容の情報（以下において「情報Ｄ」ということにする。）をバッファ部１０２に送る。バッファ監視部１０５は、情報Ｃのバッファ部１０２への送付から、情報Ｄのバッファ部１０２への送付の間は、ＣＣＭ部１０６から通常ＣＣＭを受け取るか否かに拘らず、受信装置へのＣＣＭの送付は行わない。
【００４７】
一方、バッファ監視部１０５は、情報Ｃのバッファ部１０２への送付から、情報Ｄのバッファ部１０２への送付の間を除いて、ＣＣＭ部１０６から通常ＣＣＭを受け取ることにより、その通常ＣＣＭを、送信部１０４を経由して、図示しない受信装置に送る。
【００４８】
バッファ部１０２は、通常は、受信部１０１から送られたフレームを一時的に記録し、その後に、送信部１０４を介して、所定の場合に図示しない受信装置に送る通常の送付処理を行う。ただし、バッファ部１０２は、バッファ監視部１０５から情報Ｃを受け取った時には、上記通常の送付処理を中止する。
【００４９】
そして、バッファ部１０２は、自己に記録されているフレームを、送信部１０４を介して図示しない受信装置に、連続して順次送付を行う。ここで、順次送付とは、例えば、受信部１０１からバッファ部１０２に、信号Ａ、信号Ｂ、信号Ｃの順に信号が入力された場合に、バッファ部１０２から必ず信号Ａ、信号Ｂ、信号Ｃの順に信号を送付するという意味である。順次送付においては、信号Ｃを信号Ａや信号Ｂより先に送付することは行わない。
【００５０】
バッファ部１０２は、その後さらに情報Ｄを受け取った時には、フレームの上記の順次連続した送付を中止し、自己に記録されているフレームについて、通常の送付処理に戻る。
【００５１】
送信部１０４は、バッファ部１０２及びバッファ監視部１０５から送られたフレームを、送信装置１００の外部に送る。
【００５２】
図３は、特殊ＣＣＭとして用いることができるＣＣＭフォーマットの例を表わす概念図である。同図のフォーマットは、非特許文献１の９．２．２  ＣＣＭ  ＰＤＵ  ｆｏｒｍａｔに開示されたものである。同フォーマットの各部分が表す内容については同文献を参照されたい。
【００５３】
特殊ＣＣＭとしては、同図（Ａ）に表したフレームフォーマットを用いることができる。
【００５４】
また、同図（Ｂ）に、同図（Ａ）における「Ｆｌａｇｓ」と表示した部分の詳細なフォーマットを表す。特殊ＣＣＭの場合は、通常ＣＣＭと区別するために、例えば同図（Ｂ）に表したように、特殊ＣＣＭ判断ビット４０を設定する。例えば、特殊ＣＣＭ判断ビット４０が”０”であればそのＣＣＭは通常ＣＣＭであり、”１”であればそのＣＣＭは特殊ＣＣＭであるように、特殊ＣＣＭ判断ビット４０を設定する。
［処理フロー］
図４は、図２に表した送信装置１００における処理フローの例を表す概念図である。
【００５５】
まず、Ｓ００２において、タイマー１０７は、予め定めておいた時間Ｔをｔに代入する。ここでＴは、ＣＣＭ部１０６が、通常ＣＣＭをバッファ監視部１０５に送る間隔を表す時間である。
【００５６】
次に、Ｓ００３において、タイマー１０７は、ひとつ前の処理から時間ΔＴが経過したかについて判定する。ここで、時間ΔＴは時間Ｔよりも小さい任意の時間であり、スタート前に設定しておくこととする。
【００５７】
Ｓ００３において、タイマー１０７は、ひとつ前の処理から時間ΔＴが経過したことを判定しなかった場合は、Ｓ００３に移行する。
【００５８】
Ｓ００３において、タイマー１０７は、ひとつ前の処理から時間ΔＴが経過したことを判定した場合は、Ｓ００４に移行する。
【００５９】
そして、Ｓ００４において、タイマー１０７は、ｔからΔＴを減じた時間をｔとする。
【００６０】
そして、Ｓ００５において、送信装置１００は、ＣＣ機能を終了するかを判定する。当該判定は、例えば、外部から終了を指示する情報が入力されているかを判定することにより行う。
【００６１】
Ｓ００５において、送信装置１００がＣＣ機能を終了させることを判定した場合は、送信装置１００は、本処理を終了させる。
【００６２】
一方、Ｓ００５において、送信装置１００がＣＣ機能を終了させることを判定しなかった場合は、Ｓ００６に移行する。
【００６３】
そして、Ｓ００６において、タイマー１０７は、時間ｔがゼロより大きいかを判定する。
【００６４】
Ｓ００６において、タイマー１０７が時間ｔがゼロより大きいと判定した場合は、Ｓ００３に移行する。
【００６５】
一方、Ｓ００６において、タイマー１０７が時間ｔがゼロより大きいと判定しなかった場合は、Ｓ００７に移行する。
【００６６】
そして、Ｓ００７において、タイマー１０７は、Ｓ００２の処理を行った時から時間Ｔが経過したことに相当する内容を含む情報を、ＣＣＭ部１０６に対して送る。
【００６７】
そして、Ｓ００８において、ＣＣＭ部１０６は、通常ＣＣＭをバッファ監視部１０５へ送付する。
【００６８】
次に、Ｓ００９において、バッファ監視部１０５は、バッファ部１０２の残り記録容量が設定値以下かを判定する。この設定値は、図４の処理のスタートに先立ち予め定めておくものとする。
【００６９】
Ｓ００９において、バッファ監視部１０５は、バッファ部１０２の残り記録容量が設定値以下であることを判定しなかった場合には、Ｓ０２１に移行する。
【００７０】
Ｓ００９において、バッファ監視部１０５は、バッファ部１０２の残り容量が設定値以下であることを判定した場合には、Ｓ０１０に移行する。
【００７１】
そして、Ｓ０１０において、バッファ監視部１０５は、バッファ部１０２と通信を行い、バッファ部１０２に一時記録されているユーザフレームのＳＡを、バッファ部１０２より取得する。バッファ監視部１０５は、バッファ部１０２に一時記録されているユーザフレームが複数あるときには、すべてのユーザフレームについてＳＡを取得する。
【００７２】
そして、Ｓ０１２において、バッファ監視部１０５は、Ｓ００８においてＣＣＭ部１０６から送られた通常ＣＣＭと、Ｓ０１０において取得したＳＡとから、特殊ＣＣＭを生成する。バッファ監視部１０５は、Ｓ０１０において取得したＳＡが複数ある時は、すべてのユーザフレームについてのＳＡを生成する特殊ＣＣＭに含ませる。
【００７３】
そして、Ｓ０１３において、バッファ監視部１０５は、Ｓ０１２において生成した特殊ＣＣＭを、送信部１０４を介して、図示しない受信装置に送信する。
【００７４】
そして、Ｓ０１４において、バッファ監視部１０５は、Ｓ０１３において送信した特殊ＣＣＭに含ませたＳＡを、図示しない記録部に記録する。
【００７５】
次に、Ｓ０１５において、バッファ監視部１０５は、特殊ＣＣＭを受信装置に送信したことを表す情報を、バッファ部１０２に送る。
【００７６】
次に、Ｓ０１６において、バッファ部１０２は、自己に記録されているユーザフレームの一を特定し、そのユーザフレームを、送信部１０４を介して、図示しない受信装置に対して送る。
【００７７】
次に、Ｓ０１７において、バッファ部１０２は、特殊ＣＣＭに含まれるＳＡ以外のＳＡを含む信号を、自己が保存しているかを判定する。
【００７８】
Ｓ０１７において、バッファ部１０２が特殊ＣＣＭに含まれるＳＡ以外のＳＡを含む信号を、自己が保存していると判定した場合は、Ｓ０２０に移行する。
【００７９】
Ｓ０１７において、バッファ部１０２が特殊ＣＣＭに含まれるＳＡ以外のＳＡを含む信号を、自己が保存していると判定しなかった場合は、Ｓ０１８に移行する。
【００８０】
そして、Ｓ０１８において、バッファ部１０２は、自己の残り記録容量が予め設定した設定値以下であるかを判定する。この場合の設定値は、Ｓ００９における設定値と同一でも、Ｓ００９における設定値より大きい第二の設定値であっても構わない。
【００８１】
バッファ部１０２は、Ｓ０１８において、自己の残り記録容量が予め設定した設定値以下であると判定した場合は、Ｓ０１６に移行する。
【００８２】
一方、バッファ部１０２は、Ｓ０１８において、自己の残り記録容量が予め設定した設定値以下であると判定しなかった場合は、Ｓ０２０に移行する。
【００８３】
Ｓ０２０に移行した場合は、同ステップにおいて、バッファ監視部１０５は、Ｓ０１４で記録したＳＡを消去する。
【００８４】
そして、Ｓ０２１において、バッファ監視部１０５は、通常ＣＣＭを、送信部１０４を介して、図示しない受信装置に対して送信する。
【００８５】
その後、Ｓ００２に移行する。
［受信装置］
［構成と動作］
図５は、本実施形態の受信装置２００の構成を表す概念図である。
【００８６】
受信装置２００は、受信部２０１と、ＤＡ抽出部２１１と、送信部２０４と、ＳＡ抽出部２０３と、判断部２１２と、タイマー２１４と、受信処理部２１５と、記録部２１３とを備える。
【００８７】
受信部２０１は、受信装置２００の外部から入力されたフレームをＳＡ抽出部２０３及びＤＡ抽出部２１１に送る。
【００８８】
ＳＡ抽出部２０３は、受信部２０１から送られるフレームのＳＡを抽出する。
【００８９】
ＤＡ抽出部２１１は、受信部２０１から送られるフレームの宛先アドレス（以下、「ＤＡ」という。）を抽出する。また、ＤＡを抽出したフレームを受信処理部２１５に送る。
【００９０】
タイマー２１４は、ＣＣＭの受信が行われるべきタイミングを受信処理部２１５に通知する。
【００９１】
受信処理部２１５は、ＤＡ抽出部２１１から送られたフレームのＤＡが自局である場合には、そのフレームについての受信処理を行う。また、受信処理部２１５は、ＤＡ抽出部２１１から送られたフレームのＤＡが自局でない場合には、そのフレームについての転送処理等を行う。ここで、自局とは、受信装置２００が、例えば、図１の事業者送受信装置００８の場合には事業者装置０００であり、同図のユーザ送受信装置０１８の場合はユーザ装置０１０である。
【００９２】
受信処理部２１５は、さらに、自己に送られたフレームが特殊ＣＣＭである場合は、その特殊ＣＣＭを送信した図示しない送信装置がその特殊ＣＣＭに含ませたＳＡを抽出し、そのＳＡを記録部２１３に送り、記録させる。受信処理部２１５は、送信装置がその特殊ＣＣＭに含ませたＳＡが複数ある場合には、すべてのＳＡについて、同処理を行う。
【００９３】
受信処理部２１５は、さらに、ＣＣＭの受信が、タイマー２１４が与える所定の間隔に行われない場合は、ＬＯＣである旨を判定し、ＬＯＣの際に行うべき予め定められた処理を行う。ただし、受信処理部２１５は、判断部２１２から、ユーザフレームのＳＡと、特殊ＣＣＭに含まれるＳＡ（ＳＡが複数ある場合はいずれかのＳＡ）とが一致する旨の判定結果が連続して送られる場合には、ＬＯＣである旨の判定は行わない。ここで、ユーザフレームのＳＡは、ＳＡ抽出部２０３が抽出したユーザフレームのＳＡであり、特殊ＣＣＭに含まれるＳＡは、記録部２１３に記録されているＳＡである。また、「連続して」とは、必ずしも時間的に連続していることを意味するのではなく、一つ前の判定結果と次に判定結果が同じである状態が継続していることを含むこととする。ＬＯＣである旨の判定は、ＣＣＭの受信が、タイマー２１４が与える所定の間隔で行われない場合であっても、行われない。
【００９４】
記録部２１３は、受信処理部２１５から送られたＳＡ（特殊ＣＣＭに含まれるＳＡ）を記録する。
【００９５】
判断部２１２は、ＳＡ抽出部２０３が抽出したユーザフレームのＳＡと、記録部２１３に記録されているＳＡ（特殊ＣＣＭに含まれるＳＡである。ＳＡが複数ある時はいずれかのＳＡとする。）が一致するかを判定する。そして、その判定結果を受信処理部２１５に送る。
【００９６】
送信部２０４は、ＤＡ抽出部２１１から送られた信号を、受信装置２００の外部に送る。
［処理フロー］
図６は、図５に表した受信装置２００における処理フローの例を表す概念図である。
【００９７】
同図に表した処理の前提として、受信部２０１に入力されたフレームは、ＳＡ抽出部２０３及びＤＡ抽出部２１１に送られる。それにより、ＳＡ抽出部２０３は、自己に送られたフレームのＳＡを抽出し、判断部２１２に送る。ＳＡ抽出部２０３は、また、入力されたフレームを判断部２１２に送る。また、ＤＡ抽出部２１１は自己に送られたフレームのＤＡを抽出し、そのＤＡが自局のアドレスであるかを判定する。自局のアドレスであるかの判定結果は２１５に送られる。ここまでに説明した処理は、受信部２０１にフレームが受信されることにより自動的に行われる。
【００９８】
以下に、受信装置２００において行われる上記以外の処理について説明する。
【００９９】
まず、Ｓ１０１において、タイマー２１４は、ｔに、予め定めておいた時間であるＴを代入する。時間Ｔは、時間Ｔの期間にＣＣＭの受信がなかった場合には、通常時において、図示しない送信装置と受信装置２００との間の接続状態はＬＯＣであると判定する時間である。ここで、「通常時」とは、図５の受信処理部２１５の説明で記述した、一致する旨の判定結果が連続して送られる場合を除く趣旨であり、同図の説明において以下同じである。
【０１００】
次に、Ｓ１０２において、タイマー２１４は、一つ前の処理を行った時刻から時間ΔＴが経過したかを判定する。ここで、ΔＴは、通常時において、受信処理を行う間隔を定める時間である。時間ΔＴは、時間Ｔよりも小さい値であり、本処理に先立ち定めておくこととする。
【０１０１】
Ｓ１０２において、タイマー２１４は、一つ前の処理を行った時刻から時間ΔＴが経過したと判定しなかった場合は、Ｓ１０２に移行する。
【０１０２】
一方、Ｓ１０２において、タイマー２１４は、一つ前の処理を行った時刻から時間ΔＴが経過したと判定した場合は、Ｓ１０３に移行する。
【０１０３】
そして、タイマー２１４は、Ｓ１０３において、ｔからΔＴを減じる。
【０１０４】
そして、Ｓ１０４において、受信処理部２１５は、受信はしたが受信に伴う受信処理をまだ行っていないフレームがあるかを判定する。
【０１０５】
Ｓ１０４において、受信処理部２１５は、受信はしたが受信に伴う受信処理をまだ行っていないフレームがあると判定した場合は、Ｓ１１１に移行する。
【０１０６】
一方、Ｓ１０４において、受信処理部２１５は、受信はしたが受信に伴う受信処理をまだ行っていないフレームがあると判定しなかった場合は、Ｓ１０５に移行する。
【０１０７】
そして、Ｓ１０５において、タイマー２１４は、ｔの値が正かを判定する。
【０１０８】
Ｓ１０５において、タイマー２１４は、ｔの値が正と判定した場合は、Ｓ１０２に移行する。
【０１０９】
一方、Ｓ１０５において、タイマー２１４は、ｔの値が正と判定しなかった場合は、Ｓ１０６に移行する。
【０１１０】
そして、Ｓ１０６において、タイマー２１４は、時間Ｔが経過したことを表す内容の情報を受信処理部２１５に通知する。
【０１１１】
そして、Ｓ１０７において、受信処理部２１５は、ＬＯＣ時に行う所定の処理を行う。
【０１１２】
そして、本処理を終了する。
【０１１３】
Ｓ１１１に移行した場合には、同ステップにおいて、受信処理部２１５は、送られたフレームがＣＣＭかを判定する。
【０１１４】
Ｓ１１１において、受信処理部２１５は、送られたフレームがＣＣＭであると判定した場合は、Ｓ１２１に移行する。
【０１１５】
一方、Ｓ１１１において、受信処理部２１５は、送られたフレームがＣＣＭと判定しなかった場合は、Ｓ１１２に移行する。
【０１１６】
Ｓ１１２に移行した場合は、判断部１０６は、送られたフレームのＳＡと、その時点で記録部２１３に記録されているＳＡのうちのいずれか一つとが一致するか判定する。
【０１１７】
Ｓ１１２において、判断部１０６は、送られたフレームのＳＡと、その時点で記録部２１３の記録されているＳＡのうちのいずれか一つとが一致すると判定した場合は、Ｓ１１２ｂに移行する。
【０１１８】
そして、Ｓ１１２ｂにおいて、受信処理部２１５は、そのフレームについて受信処理を行う。そして、Ｓ１０１に移行する。
【０１１９】
一方、Ｓ１１２において、判断部１０６は、送られたフレームのＳＡと、その時点で記録部２１３の記録されているＳＡのうちのいずれか一つとが一致すると判定しなかった場合は、Ｓ１１３に移行する。
【０１２０】
そして、Ｓ１１３において、受信処理部２１５は、記録部２１３に記録されたＳＡを記録部２１３に消去させる。そして、終了する。
【０１２１】
Ｓ１２１に移行した場合は、同ステップにおいて、受信処理部２１５は、送られたフレームが特殊ＣＣＭであるかを判定する。
【０１２２】
Ｓ１２１において、受信処理部２１５は、送られたフレームが特殊ＣＣＭであることを判定した場合は、Ｓ１２２に移行する。
【０１２３】
一方、Ｓ１２１において、受信処理部２１５は、送られたフレームが特殊ＣＣＭであることを判定しなかった場合は、Ｓ１２３に移行する。
【０１２４】
Ｓ１２２に移行した場合は、同ステップにおいて、受信処理部２１５はその特殊ＣＣＭが備えるＳＡを抽出し、そのＳＡを記録部２１３に記録する。そして、Ｓ１０１に移行する。
【０１２５】
一方、Ｓ１２３に移行した場合は、同ステップにおいて、受信処理部２１５は、記録部２１３に記録されたＳＡを消去する。そして、Ｓ１０１に移行する。
【０１２６】
本処理を終了した場合は、同図に表した処理から外れて、ＣＣを行うための通常の処理に移行する。
［受信装置のバリエーション］
［構成と動作］
図７は、本実施形態の受信装置２００のバリエーションである受信装置４００の構成を表す概念図である。本バリエーションは、自らが特殊ＣＣＭおよびユーザフレームを受信する受信装置４００に関するバリエーションである。
【０１２７】
受信装置４００は、受信部４０１と、ＤＡ抽出部４１１と、送信部４０４と、判断部４１２と、タイマー４１４と、受信処理部４１５と、記録部４１３とを備える。
【０１２８】
受信装置４００は、図５に表した受信装置２００と比較した場合、受信装置２００にあるＳＡ抽出部２０３に相当する部分がない。受信装置４００は、受信処理部２１５に相当する受信処理部４１５と、判断部２１２に相当する判断部４１２と、が直接接続されている。
【０１２９】
受信部４０１は、受信装置４００の外部から入力されたフレームをＤＡ抽出部４１１に送る。
【０１３０】
ＤＡ抽出部４１１は、受信部４０１から送られるフレームのＤＡを抽出する。そして、そのＤＡが自局のものであるかを判定する。その判定結果は、受信処理部４１５に送られる。ここで、自局は、受信装置４００が図１の事業者送受信装置００８の場合には事業者装置０００であり、同図のユーザ送受信装置０１８の場合はユーザ装置０１０である。また、ＤＡ抽出部４１１は、そのＤＡを抽出したフレームを受信処理部４１５に送る。
【０１３１】
受信処理部４１５は、ＤＡ抽出部４１１から送られたフレームについて受信処理を行う。また、受信処理部４１５は、ＤＡ抽出部４１１から送られたフレームが特殊ＣＣＭである場合には、その特殊ＣＣＭに含まれるＳＡを抽出し、抽出したＳＡを記録部４１３に記録させる。受信処理部４１５は、送信装置がその特殊ＣＣＭに含ませたＳＡが複数ある場合には、すべてのＳＡについて、同処理を行う。ここで、特殊ＣＣＭに含まれるＳＡは、特殊ＣＣＭのＳＡではなく、図示しない送信装置が通常ＣＣＭに組み合わせて受信装置４００に送付したＳＡのことである。また、受信処理部４１５は、ＤＡ抽出部４１１から送られたフレームのＳＡを抽出し、抽出したＳＡを判断部４１２に対して送る。
【０１３２】
受信処理部４１５は、さらに、ＣＣＭの受信が、タイマー４１４が与える所定の間隔に行われない場合は、ＬＯＣである旨を判定し、ＬＯＣの際に行うべき予め定められた処理を行う。ただし、受信処理部４１５は、判断部４１２から、ユーザフレームのＳＡと、特殊ＣＣＭに含まれるＳＡ（ＳＡが複数ある場合はいずれかのＳＡ）とが一致する旨の判定結果が連続して送られる場合には、ＬＯＣである旨の判定は行わない。ここで、ユーザフレームのＳＡは、自己が抽出したユーザフレームのＳＡであり、特殊ＣＣＭに含まれるＳＡは、記録部４１３に記録されているＳＡである。また、「連続して」とは、必ずしも時間的に連続していることを意味するのではなく、一つ前の判定結果と次に判定結果が同じである状態が継続していることを含むこととする。ＬＯＣである旨の判定は、ＣＣＭの受信が、タイマー４１４が与える所定の間隔で行われない場合であっても、行われない。
【０１３３】
記録部４１３は、受信処理部４１５から送られたＳＡを記録する。
【０１３４】
判断部４１２は、受信処理部４１５が抽出したユーザフレームのＳＡと、記録部４１３に記録されているＳＡ（複数のＳＡが記録されているときはいずれかのＳＡ）と一致しているかを判断する。その判定結果は、受信処理部４１５に送られる。
【０１３５】
タイマー４１４は、受信処理部４１５が受信処理を行うべきタイミングを、受信処理部４１５に対して通知する。
【０１３６】
送信部４０４は、ＤＡ抽出部４１１から送られた信号を、受信装置４００の外部に送信する。
［処理フロー］
図７に表した受信装置４００における処理フローは、以下に記述する、処理の前提となる動作の説明を除いて、図６に表した、受信装置２００についての処理フローの説明と同じである。ただし、処理フローを表す符号のＳの次の数字が１である場合にはその数字を２で置き換え、また、構成を表す符号の百の位が２である場合には、その百の位を４に置き換えて読むものとする。
【０１３７】
以下は、処理の前提となる動作の説明である。
【０１３８】
同図に表した処理の前提として、受信部４０１に入力されたフレームは、ＤＡ抽出部４１１に送られる。また、ＤＡ抽出部４１１は自己に送られたフレームのＤＡを抽出し、そのＤＡが自局のアドレスであるかを判定する。自局のアドレスであるかの判定結果は受信処理部４１５に送られる。また、ＤＡ抽出部４１１は、送られたフレームを受信処理部４１５に送る。受信処理部４１５は、送られたフレームのＳＡを抽出する。抽出したＳＡは判定部４１４に送られる。ここまでに説明した処理は、受信部４０１にフレームが受信されることにより自動的に行われる。
［効果］
本実施形態の送受信システムは、送信装置が備える送信用情報（ユーザフレーム）を保存するためのバッファ部の残り容量が少ない場合（図４、Ｓ００９、ｙｅｓ）に、特殊ＣＣＭを生成し（同図、Ｓ０１２）、受信装置に送る。その特殊ＣＣＭは、送信装置がバッファ部に保存した送信用情報のＳＡ（同図、Ｓ０１０）を含むものである。そのうえで、送信装置はバッファ部に保存した送信用情報を受信装置に送る（同図、Ｓ０１３）。特殊ＣＣＭを受け取った（図６、Ｓ１２１、ｙｅｓ）受信装置は、次の場合に、送信装置との間で接続性が確保されているものとして受信処理を行う（同図、Ｓ１１２ｂ）。その場合は、記録されたその特殊ＣＣＭに含まれるＳＡ（同図、Ｓ１２２）と、その特殊ＣＣＭに続いて送られる送信用情報のＳＡとが一致する場合（同図、Ｓ１１２、ｙｅｓ）である。
【０１３９】
このように、送信装置は、バッファ部の残り記録容量を監視して上記動作を行うので、バッファ部の記録容量を増大させることは必ずしも必要にならない。従い、バッファ部の記録容量の増大に伴う、送信装置及び送信装置を含む送受信システムのコストの増加を抑えることができる。
【０１４０】
また、送信装置は、バッファ部の残り容量を監視して（図４、Ｓ００９）上記動作を行うので、バッファ部にその記録容量を超える容量の送信用情報が送りこまれる可能性を抑えることができる。従い、それにより、バッファ部にその容量を超えて送り込まれた送信用情報が失われることも抑えることができる。これは、ＣＣＭを送付するために、バッファ部からのユーザフレームの送信を停止させた場合に、その効果が顕著である。
【０１４１】
以上説明したように、本実施形態の送受信システム等は、接続性検査による送信用情報の喪失を抑え、当該喪失を抑えるための対策による当該送受信システム等のコストの上昇を抑えることができる。
＜第二実施形態＞
本実施形態は、自らがＳＡ及びユーザフレームを生成する送信装置に関する実施形態である。
［構成と動作］
図８は、本実施形態の送信装置３００の構成を表す概念図である。
【０１４２】
送信装置３００は、受信部３０１と、バッファ部３０２と、送信部３０４と、バッファ監視部３０５と、ＣＣＭ部３０６と、タイマー３０７と、ユーザフレーム生成部３０８と、ＳＡ生成部３０９と、を備える。
【０１４３】
送信装置３００は、図２に表した送信装置１００と比較した場合、送信装置１００にあるＳＡ監視部１０３に相当する部分が削除され、ユーザフレーム生成部３０８と、ＳＡ生成部３０９とが追加されている点が異なる。
【０１４４】
送信装置３００についての説明は、以下を除いて、図２に表した送信装置１００についての説明と同じである。ただし、同説明において、上記削除された構成についての説明は削除し、さらに、図の符号の数字の百の位が１である場合は、その百の位を３に置き換えて読むものとする。
【０１４５】
ＳＡ生成部３０９は、送信装置３００のアドレスを生成する。生成されたアドレスはバッファ監視部３０５及びユーザフレーム生成部３０８に送られる。
【０１４６】
ユーザフレーム生成部３０８は、図１における端末装置０１１がセンター装置００５へ送信するデータをユーザフレームとして生成する。その際に、ＳＡ生成部３０９から送られたアドレスが、生成されたユーザフレームのＳＡとされる。生成されたユーザフレームは、バッファ部３０２に送られる。
【０１４７】
バッファ部３０２は、ユーザフレーム生成部３０８から送られたユーザフレームを一時的に記録し、その後に送信する。
【０１４８】
バッファ監視部３０５は、ＳＡ生成部３０９から送られた送信装置３００のアドレス（ＳＡ）を図示しない記録部に記録して保持する。また、バッファ監視部３０５は、ＣＣＭ部３０６から送られる通常ＣＣＭと、保持している送信装置３００のアドレス（ＳＡ）とから、特殊ＣＣＭを生成する。そして、バッファ監視部３０５は、バッファ部３０２が備えるバッファの残り容量を監視し、残り容量に応じて、通常ＣＣＭや特殊ＣＣＭを送信する。
【０１４９】
図９は、ＥＯＡＭで用いられるフレームのフォーマット例を表わす概念図である。
【０１５０】
ＣＣＭのフォーマットとしては例えば同図に表したようなフォーマットを用いることができる。一般的に、ＣＣＭのフォーマットにおいては、そのＳＡの識別を可能にするために、ＳＡ情報を入力する専用のＳＡフレームが用意される。同図における「Ｓｏｕｒｃｅ  ＭＡＣ  Ａｄｄｒｅｓｓ」と表示されたフレームが上記ＳＡフレームである。ＳＡ生成部３０９で生成されるＳＡは、バッファ監視部３０５において、上記ＳＡフレームに入力される。
【０１５１】
そして、同図に表したフォーマットのＣＣＭを受信した受信装置のＳＡ抽出部は、上記ＳＡフレームの情報を読み取るのである。
【０１５２】
なお、同図において「Ｄｅｓｔｉｎａｔｉｏｎ  ＭＡＣ  Ａｄｄｒｅｓｓ」と表示したフレームは送信先を挿入するフレームである。また、「＊８０２．１Ｑ  Ｅｔｈｅｒ  Ｔｙｐｅ」、「＊８０２．１Ｑ  ｔａｇ」、「Ｅｔｈｅｒ  Ｔｙｐｅ」は、このフォーマットのタイプを表す情報を挿入するフレームである。また、「ＦＣＳ」は、このフォーマットに含まれる情報の妥当性を挿入するフレームである。また、同図の太線枠内には、図３（ａ）に表したフォーマットが入ることが想定されている。
［処理フロー］
図１０は、図８に表した送信装置３００における処理フローの例を表す概念図である。
【０１５３】
図１０に表した処理は、図４に表した処理とは、図４には表されているＳ０１０、Ｓ０１４及びＳ０２０に相当するステップが削除されている点が異なる。
【０１５４】
そして、同図の説明は、以下を除いて、図４の説明と同じである。ただし、上記削除されたステップについての説明は削除する。そして、ステップを表す符号において、Ｓの次の数字が０の場合は、その数字を３に置き換え、各構成部を表す符号の数字の百の位が１の場合は、その百の位を３で置き換えて、図４の説明を読むものとする。
【０１５５】
本処理の前提として、ＳＡ生成部３０９は、送信装置３００のアドレスを生成する。生成されたアドレス情報はバッファ監視部３０５及びユーザフレーム生成部３０８に送られる。ユーザフレーム生成部３０８は、図１における端末装置０１１がセンター装置００５へ送信するデータ、に相当するデータをユーザフレームとして生成する。その際に、ＳＡ生成部３０９から送られたアドレスが、生成されたユーザフレームのＳＡとされる。生成されたユーザフレームは、バッファ部３０２に送られる。バッファ監視部３０５は、ＳＡ生成部３０９から送られた送信装置３００のアドレス（ＳＡ）を保持する。ここまでの処理は、本処理に先立ち自動的に行われる。
【０１５６】
Ｓ２０９において、バッファ監視部３０５は、バッファ部３０２の残り容量が設定値以下であることを判定した場合には、Ｓ２１２に移行する。
【０１５７】
Ｓ２１７において、バッファ部３０２が特殊ＣＣＭに含まれるＳＡ以外のＳＡを含む信号を、自己が保存していると判定した場合は、Ｓ２２１に移行する。
【０１５８】
一方、バッファ部３０２は、Ｓ２１８において、自己の残り記録容量が予め設定した設定値以下であると判定しなかった場合は、Ｓ２２１に移行する。
［受信装置］
本実施形態の受信装置の構成は図５に表した受信装置２００の構成と同じであり、受信装置２００で行われる処理フローの例は図６に表したものと同じである。そして、それらの説明については、図５及び図６についての説明と同じである。
［効果］
本実施形態の送受信システムは、まず、第一実施形態の送受信システムと同じ効果を奏する。
【０１５９】
それに加えて、本実施形態の送受信システムの場合は、特殊ＣＣＭに含ませるＳＡとして送信装置自体のＳＡを用いるので、そのＣＣＭのフォーマットにＳＡを記録する専用の部分が当然に用意されることになる。例えば、図９の「Ｓｏｕｒｃｅ  ＭＡＣ  Ａｄｄｒｅｓｓ」と表示したフレームがその専用の部分である。つまり、ＳＡ保存領域を、保存領域を拡張することにより特別に用意する必要がない。そのため、特殊ＣＣＭのサイズを小さくすることができる。従い、送受信システムを構成する特殊ＣＣＭの送信に関連する各部分の負担を軽減することができる。
【０１６０】
なお、本発明の最小構成の受信装置５００を表わす概念図を図１１に表す。
【０１６１】
受信装置５００は、図示しない送信装置が自己に送る、前記送信装置と自己との間の通信状況を検査するために用いられる情報である検査情報、の受信状況により、前記送信装置と自己との間の通信状況を判定する受信装置である。
【０１６２】
受信装置５００は、また、特殊検査情報の受信に続いて自己への入力が行われる検査情報以外の受信情報の送信元情報が、前記特殊検査情報に含まれる送信元情報と連続して一致する間は、その受信情報の連続した受信を行う。ここで、特殊検査情報は、送信元情報を含み通常の検査情報とは異なることが識別できる検査情報である。
【０１６３】
前記連続した受信は、前記送信装置が、前記送信装置が備える送信用バッファの残存記録容量に応じて、自己に対して送る、前記特殊検査情報、の受信にともない行われる。
【０１６４】
本発明の最小構成の情報処理方法は、上記構成により、［発明の効果］に記載した効果を奏する。
【０１６５】
以上好ましい実施形態をあげて本発明を説明したが、本発明は必ずしも上記実施形態に限定されるものではなく、その技術的思想の範囲内において様々に変形し実施することができる。
【０１６６】
また、上記の実施形態の一部又は全部は、以下の付記のようにも記述され得るが、以下には限られない。
【０１６７】
（付記Ａ１）
送信装置が自己に送る、前記送信装置と自己との間の通信状況を検査するために用いられる情報である検査情報、の受信状況により、前記送信装置と自己との間の通信状況を判定する受信装置であって、
前記送信装置が、前記送信装置が備える送信用バッファの残存記録容量に応じて、自己に対して送る、送信元情報を含み通常の検査情報とは異なることが識別できる検査情報である特殊検査情報、の受信にともない、当該特殊検査情報の受信に続いて自己への入力が行われる検査情報以外の受信情報の送信元情報が、前記特殊検査情報に含まれる送信元情報と連続して一致する間は、その受信情報の連続した受信を行う、受信装置。
【０１６８】
（付記Ａ２）
前記受信情報の前記送信元情報が、前記特殊検査情報に含まれる前記送信元情報に一致しない場合は、前記連続した受信を終了する、付記Ａ１に記載された受信装置。
【０１６９】
（付記Ａ３）
前記特殊検査情報に含まれる送信元情報が、送信用バッファに記録されている情報の送信元を表す情報である、付記Ａ１又は付記Ａ２に記載された受信装置。
【０１７０】
（付記Ａ４）
前記特殊検査情報に含まれる送信元情報が、送信装置を表す情報である、付記Ａ１又は付記Ａ２に記載された受信装置。
【０１７１】
（付記Ａ５）
前記送信装置が、前記残存記録容量が閾値以下であるか又は閾値より小さい場合に特殊検査情報を自己に対して送る、付記Ａ１乃至付記Ａ４のうちのいずれか一に記載された受信装置。
【０１７２】
（付記Ａ６）
前記受信情報の前記送信元情報が、前記受信情報を前記送信装置に送信したものを表す情報である、付記Ａ１乃至付記Ａ５のうちのいずれか一に記載された受信装置。
【０１７３】
（付記Ａ７）
前記受信情報の前記送信元情報が、前記送信装置を表す情報である、付記Ａ１乃至付記Ａ６のうちのいずれか一に記載された受信装置。
【０１７４】
（付記Ａ８）
前記送信元情報が、送信元を表すアドレスである、付記Ａ１乃至付記Ａ７のうちのいずれか一に記載された受信装置。
【０１７５】
（付記Ａ９）
前記検査情報、前記特殊検査情報及び前記受信情報がフレームで表される情報である、付記Ａ１乃至付記Ａ８のうちのいずれか一に記載された受信装置。
【０１７６】
（付記Ａ１０）
前記アドレスが、送信元を表すＭｅｄｉａ  Ａｃｃｅｓｓ  Ｃｏｎｔｒｏｌ  Ａｄｄｒｅｓｓである、付記Ａ９に記載された受信装置。
【０１７７】
（付記Ａ１１）
前記検査情報及び前記特殊検査情報のフォーマットとして、ＩＴＵ−Ｔ勧告Ｙ．１７３１、９．２．２  ＣＣＭ  ＰＤＵ  ｆｏｒｍａｔに表されたフォーマットを用いる、付記Ａ９又は付記Ａ１０に記載された受信装置。
【０１７８】
（付記Ａ１２）
前記フォーマットのリザーブ領域に前記送信元を表すＭｅｄｉａ  Ａｃｃｅｓｓ
Ｃｏｎｔｒｏｌ  Ａｄｄｒｅｓｓを挿入する、付記１１に記載された受信装置。
【０１７９】
（付記Ａ１３）
前記フォーマットのＦｌａｇｓ領域に前記特殊検査情報が特殊検査情報であることを表す情報を挿入する、付記１１又は付記１２に記載された受信装置。
【０１８０】
（付記Ｂ１）
自己が送る、自己との間の通信状況を検査するために用いられる情報である検査情報、の受信状況により、自己との間の通信状況を判定し、
自己が送る、送信元情報を含み通常の検査情報とは異なることが識別できる検査情報である特殊検査情報、の受信にともない、当該特殊検査情報の受信に続いて入力が行われる検査情報以外の受信情報の送信元情報が、前記特殊検査情報に含まれる送信元情報と連続して一致する間は、その受信情報の受信を連続して行う、受信装置、
に対して、自己が備える送信用バッファの残存記録容量に応じて、前記特殊検査情報を送り、その後に前記送信用バッファに記録されている送信情報を送り、かつ、当該送信情報の送信の間は前記検査情報を送らない、送信装置。
【０１８１】
（付記Ｂ２）
前記受信装置が、前記受信情報の前記送信元情報が、前記特殊検査情報に含まれる前記送信元情報に一致しない場合は、前記連続した受信を終了する、付記Ｂ１に記載された送信装置。
【０１８２】
（付記Ｂ３）
前記特殊検査情報に含まれる送信元情報が、送信用バッファに記録されている情報の送信元を表す情報である、付記Ｂ１又は付記Ｂ２に記載された送信装置。
【０１８３】
（付記Ｂ４）
前記特殊検査情報に含まれる送信元情報が、自己を表す情報である、付記Ｂ１又は付記Ｂ２に記載された送信装置。
【０１８４】
（付記Ｂ５）
前記残存記録容量が閾値以下であるか又は閾値より小さい場合に特殊検査情報を前記受信装置に対して送る、付記Ｂ１乃至付記Ｂ４のうちのいずれか一に記載された送信装置。
【０１８５】
（付記Ｂ６）
前記受信情報の前記送信元情報が、前記送信装置に対して前記受信情報を自己に送信したものを表す情報である、付記Ｂ１乃至付記Ｂ５のうちのいずれか一に記載された送信装置。
【０１８６】
（付記Ｂ７）
前記受信情報の前記送信元情報が、自己を表す情報である、付記Ｂ１乃至付記Ｂ５のうちのいずれか一に記載された送信装置。
【０１８７】
（付記Ｂ８）
前記送信元情報が、送信元を表すアドレスである、付記Ｂ１乃至付記Ｂ７のうちのいずれか一に記載された送信装置。
【０１８８】
（付記Ｂ９）
前記アドレスが、送信元を表すＭｅｄｉａ  Ａｃｃｅｓｓ  Ｃｏｎｔｒｏｌ  Ａｄｄｒｅｓｓである、付記Ｂ８に記載された送信装置。
【０１８９】
（付記Ｂ１０）
前記検査情報、前記特殊検査情報及び前記受信情報がフレームで表される情報である、付記Ｂ１乃至付記Ｂ９のうちのいずれか一に記載された送信装置。
【０１９０】
（付記Ｂ１１）
前記検査情報及び前記特殊検査情報のフォーマットとして、ＩＴＵ−Ｔ勧告Ｙ．１７３１、９．２．２  ＣＣＭ  ＰＤＵ  ｆｏｒｍａｔに表されたフォーマットを用いる、付記Ｂ１０に記載された送信装置。
【０１９１】
（付記Ｂ１２）
前記フォーマットのリザーブ領域に前記送信元を表すＭｅｄｉａ  Ａｃｃｅｓｓ
Ｃｏｎｔｒｏｌ  Ａｄｄｒｅｓｓを挿入する、付記Ｂ１１送信装置。
【０１９２】
（付記Ｂ１３）
前記フォーマットのＦｌａｇｓ領域に前記特殊検査情報が特殊検査情報であることを表す情報を挿入する、付記Ｂ１１又は付記Ｂ１２に記載された送信装置。
【０１９３】
（付記Ｃ１）
付記Ａ１乃至付記Ａ１３のうちのいずれか一に記載された受信装置と、付記Ｂ１乃至付記Ｂ１３のうちのいずれか一に記載された送信装置と、を備える送受信システム。
【符号の説明】
【０１９４】
０００    事業者装置
００４    事業者ハブ
００５    センター装置
００６    網側インタフェース
００７    センター側ローカルインタフェース
００８    事業者送受信装置
０１０    ユーザ装置
０１１    端末装置
０１２    ユーザハブ
０１３    ユーザ端末装置
０１４    端末側ローカルインタフェース
０１５    ユーザ端末側インタフェース
０１８    ユーザ送受信装置
０２０    ネットワーク網
０３０    通信回線
４０    特殊ＣＣＭ判断ビット
１００、３００    送信装置
１０１、２０１、３０１、４０１    受信部
１０２、３０２    バッファ部
１０３、２０３    ＳＡ抽出部
１０４、２０４、３０４、４０４    送信部
１０５、３０５    バッファ監視部
１０６、３０６    ＣＣＭ部
１０７、２、３０７、４１４    タイマー
３０８    ユーザフレーム生成部
３０９    ＳＡ生成部
２００、４００、５００    受信装置
２１１、４１１    ＤＡ抽出部
２１２、４１２    判断部
２１３、４１３    記録部
２１５、４１５    受信処理部
【図１】
0006506141.tif 000002
【図２】
0006506141.tif 000003
【図３】
0006506141.tif 000004
【図４】
0006506141.tif 000005
【図５】
0006506141.tif 000006
【図６】
0006506141.tif 000007
【図７】
0006506141.tif 000008
【図８】
0006506141.tif 000009
【図９】
0006506141.tif 000010
【図１０】
0006506141.tif 000011
【図１１】
0006506141.tif 000012